(57)【要約】【課題】  電線への取付位置を明確にして、対象物を電線に適正かつ容易に取り付けられるようにする。【解決手段】  電気絶縁性の帯状体で、間接活線工具１００で把持される標識部２と、配電線Ｐに着脱自在に取り付けられる取付部３と、を備えた間接活線工法用目印体１であり、取付部３が配電線Ｐに取り付けられた状態で、標識部２が配電線Ｐに対してほぼ垂直に延び、少なくとも標識部２は、配電線Ｐと異なる色で外部から目視確認しやすい色に着色されている、ことを特徴とする。【選択図】  図１
2017103960.tif 000002
【特許請求の範囲】
【請求項１】
電気絶縁性の帯状体で、間接活線工具で把持される標識部と、電線に着脱自在に取り付けられる取付部と、を備え、
前記取付部が前記電線に取り付けられた状態で、前記標識部が前記電線に対してほぼ垂直に延び、少なくとも前記標識部は、前記電線と異なる色で外部から目視確認しやすい色に着色されている、
ことを特徴とする間接活線工法用目印体。
【請求項２】
全体が略Ｊ字状に形成され、湾曲した部分が前記取付部を構成し、真っ直ぐ延びる部分が前記標識部を構成し、前記電線に前記取付部を掛けることで前記電線に取り付けられる、
ことを特徴とする請求項１に記載の間接活線工法用目印体。
【請求項３】
前記取付部は、弾性変形自在で、真っ直ぐに延びた状態から振って前記電線に当てると、前記電線に巻き付く、
ことを特徴とする請求項１に記載の間接活線工法用目印体。
【発明の詳細な説明】
【技術分野】
【０００１】
この発明は、間接活線工法によって電線にスリーブカバーなどを取り付ける際の、取付位置を示す目印となる間接活線工法用目印体に関する。
【背景技術】
【０００２】
例えば、間接活線工法において配電線の切断作業を行う場合、配電線を張線するためにストレインロッドを使用する（例えば、特許文献１参照。）。すなわち、ホットスティック（間接活線工具）の先端にストレインロッドを取り付け、配電線の切断箇所の両側をストレインロッドで支持し、この状態で配電線を切断することで、切断した配電線が落下するのを防止している。また、切断した配電線をスリーブで接続した後に、間接活線工具を使用して接続箇所（スリーブ）にスリーブカバーを取り付けている。
【先行技術文献】
【特許文献】
【０００３】
【特許文献１】特開２０１４−１９３０２３号公報
【発明の概要】
【発明が解決しようとする課題】
【０００４】
ところで、このようなストレインロッドやスリーブカバーなどの対象物は、配電線の適正な位置に取り付けなければ、適正に配電線を張線したり、適正に接続箇所をカバーしたりすることができない。しかしながら、ストレインロッドやスリーブカバーの取付位置は、間接活線工具を操作する作業員の判断で決定しなければならないため、取付位置の決定に時間を要するばかりでなく、取付位置が適正な位置にならず、例えば、スリーブに対してスリーブカバーがずれてしまう場合がある。
【０００５】
そこでこの発明は、電線への取付位置（作業位置）を明確にして、対象物を電線に適正かつ容易に取り付けられるようにする間接活線工法用目印体を提供することを目的とする。
【課題を解決するための手段】
【０００６】
上記課題を解決するために、請求項１の発明は、電気絶縁性の帯状体で、間接活線工具で把持される標識部と、電線に着脱自在に取り付けられる取付部と、を備え、前記取付部が前記電線に取り付けられた状態で、前記標識部が前記電線に対してほぼ垂直に延び、少なくとも前記標識部は、前記電線と異なる色で外部から目視確認しやすい色に着色されている、ことを特徴とする間接活線工法用目印体である。
【０００７】
この発明によれば、間接活線工具で標識部を把持して取付部を電線の取付位置に取り付けると、標識部が電線に対してほぼ垂直に延び、少なくとも標識部は、外部から目視確認しやすい色に着色されている。
【０００８】
請求項２の発明は、請求項１に記載の間接活線工法用目印体において、全体が略Ｊ字状に形成され、湾曲した部分が前記取付部を構成し、真っ直ぐ延びる部分が前記標識部を構成し、前記電線に前記取付部を掛けることで前記電線に取り付けられる、ことを特徴とする。
【０００９】
請求項３の発明は、請求項１に記載の間接活線工法用目印体において、前記取付部は、弾性変形自在で、真っ直ぐに延びた状態から振って前記電線に当てると、前記電線に巻き付く、ことを特徴とする。
【発明の効果】
【００１０】
請求項１の発明によれば、この間接活線工法用目印体を電線の取付位置に取り付けると、標識部が電線に対してほぼ垂直に延び、しかも、標識部が外部から目視確認しやすい色に着色されているため、この間接活線工法用目印体が電線への取付位置を示す明確な目印となる。このため、スリーブカバーなどの対象物の取付位置が明確になり、対象物を電線に適正かつ容易に取り付けることが可能となる。
【００１１】
請求項２の発明によれば、電線に取付部を掛けるだけで、この間接活線工法用目印体が電線に取り付けられるため、取り付けなどに要する時間と労力を軽減することができる。また、全体が略Ｊ字状に形成されているだけでの簡易な構成のため、容易かつ低コストで製作することができる。
【００１２】
請求項３の発明によれば、取付部を真っ直ぐに延びた状態から振って電線に当てるだけで、取付部が電線に巻き付いてこの間接活線工法用目印体が電線に取り付けられるため、取り付けなどに要する時間と労力を軽減ことができる。
【図面の簡単な説明】
【００１３】
【図１】この発明の実施の形態１に係る間接活線工法用目印体を示す正面図（ａ）と側面図（ｂ）である。
【図２】この発明の実施の形態における間接活線工具を示す正面図である。
【図３】図１の間接活線工法用目印体の使用状態を示す正面図である。
【図４】この発明の実施の形態２に係る間接活線工法用目印体を示す正面図（ａ）と側面図（ｂ）である。
【図５】図４の間接活線工法用目印体の取付状態を示す側面図である。
【図６】図１の間接活線工法用目印体の変形例を示す側面図である。
【発明を実施するための形態】
【００１４】
以下、この発明を図示の実施の形態に基づいて説明する。
【００１５】
（実施の形態１）
図１は、この実施の形態に係る間接活線工法用目印体１を示す正面図（ａ）と側面図（ｂ）である。この間接活線工法用目印体１は、間接活線工法において配電線（電線）Ｐに対するスリーブカバーなど（対象物）の取付位置を示すための目印であり、全体が電気絶縁性の樹脂で構成された帯状体で、標識部２と取付部３とを一体的に備えている。この実施の形態では、全体が略Ｊ字状（取付部３を上に向けると略逆Ｊ字状）に形成され、略円弧状に湾曲した部分が取付部３を構成し、真っ直ぐ延びる部分が標識部２を構成している。
【００１６】
標識部２は、図２に示す間接活線工具１００で把持される部分であり、かつ、後述するようにして取付部３が配電線Ｐに取り付けられた状態で、配電線Ｐの軸線に対してほぼ垂直に延びる部分である。すなわち、長方形状に形成され、間接活線工具１００のヤットコ１２０で把持しやすく、かつ、外部から目視確認しやすいように、幅と長さと厚みが設定されている。
【００１７】
ここで、間接活線工具１００とは、通電状態のままで作業を行う間接活線工法で用いられる工具、つまり、高圧耐張碍子や電気機器などに作業者が直接接することなく作業を行うための工具であり、概略次のような構成となっている。
【００１８】
すなわち、図２に示すように、棒状で先端にヤットコ１２０が配設された工具であり、把持工具本体１１０と、ヤットコ１２０とを有している。把持工具本体１１０は絶縁性の棒体で、上端部には、金属製の支持具１１１が取付けられている。この支持具１１１の上部には、ヤットコ１２０を構成する可動アーム１１２、１１３が支持ピン（図示せず）を介して揺動可能に支持され、この可動アーム１１２、１１３は、操作ロッド１１４の上端部に連結されている。
【００１９】
一方、把持工具本体１１０には、レバー１１５が揺動可能に支持され、このレバー１１５の上端部には、操作ロッド１１４の下端部がピン連結されている。そして、レバー１１５を矢印Ｆ１方向に操作することによって、第１の可動アーム１１２および第２の可動アーム１１３（ヤットコ１２０）が、矢印Ｆ２方向に互いに開閉（回動）するものである。
【００２０】
取付部３は、配電線Ｐに着脱自在に取り付けられる部分であり、この実施の形態では、開口が下向きの略半円弧状に形成されている。この取付部３の内径は、配電線Ｐの外径よりもやや大きく設定され、配電線Ｐに掛けられるようになっている。また、取付部３の内面３ａには、仮止め用の接着剤３１が塗布されている。この接着剤３１は、目印として機能すべき最中には間接活線工法用目印体１を確実に保持可能で、かつ、間接活線工具１００で比較的容易に間接活線工法用目印体１を剥がせるように、その接着強度が設定されている。
【００２１】
このような取付部３の一端縁から、取付部３（円弧）の接線に沿って延びるように標識部２が設けられ、標識部２と取付部３の厚みは同等となっている。また、標識部２と取付部３は、配電線Ｐの外面色と異なる色で、かつ、外部から目視確認しやすい色に着色・彩色されている。例えば、標識部２は、緑色に着色され、取付部３は、赤色に着色されている。
【００２２】
次に、このような構成の間接活線工法用目印体１の使用方法などについて説明する。
【００２３】
例えば、図３に示すように、切断した配電線Ｐをスリーブで接続した後に、接続箇所（スリーブ）にスリーブカバーＣを取り付ける場合、スリーブカバーＣの一端部が位置すべき箇所（取付位置）に、予めこの間接活線工法用目印体１を取り付ける。つまり、間接活線工具１００のヤットコ１２０で標識部２を把持し、配電線Ｐの上から取付部３を引っ掛け、押し付けて接着剤３１を接着させて、間接活線工法用目印体１を配電線Ｐの取付位置に取り付ける。
【００２４】
次に、この間接活線工法用目印体１を目印にして、スリーブカバーＣを配置して取り付ける。つまり、間接活線工法用目印体１にスリーブカバーＣの一端部が位置するようにスリーブカバーＣを配置して、スリーブカバーＣを配電線Ｐに固定する。その後、間接活線工法用目印体１が不要になった場合には、間接活線工具１００で標識部２を把持して、取付部３を配電線Ｐから持ち上げて間接活線工法用目印体１を取り外す。
【００２５】
このように、この間接活線工法用目印体１によれば、配電線ＰへのスリーブカバーＣなどの取付位置に予め間接活線工法用目印体１を取り付けると、標識部２が配電線Ｐに対してほぼ垂直に延び、しかも、標識部２が外部から目視確認しやすい色に着色されているため、この間接活線工法用目印体１が配電線Ｐへの取付位置を示す明確な目印となる。このため、スリーブカバーＣなどの対象物の取付位置が明確になり、対象物を配電線Ｐの適正な位置に容易、迅速に取り付けることが可能となる。
【００２６】
また、複数の対象物を配電線Ｐに配設する場合に、予めすべての取付位置に間接活線工法用目印体１を取り付けることで、作業対象全体の配置・レイアウトを把握しやすくなり、作業の迅速化や仕上がり具合の向上化を図ることができる。
【００２７】
しかも、間接活線工具１００で標識部２を把持して、配電線Ｐの上から取付部３を掛けたり（被せたり）、取付部３を配電線Ｐから持ち上げたりするだけで、容易かつ迅速に間接活線工法用目印体１を取り付けたり、取り外したりすることができる。また、全体が略Ｊ字状に形成されているだけでの簡易な構成のため、間接活線工法用目印体１を容易かつ低コストで製作することができる。
【００２８】
（実施の形態２）
図４は、この実施の形態に係る間接活線工法用目印体１０を示す正面図（ａ）と側面図（ｂ）である。この間接活線工法用目印体１０は、取付部１３が配電線Ｐに巻き付く点で実施の形態１と構成が異なる。
【００２９】
標識部１２は、実施の形態１と同等の構成であり、長方形状に形成された剛体となっている。取付部１３は、標識部１２の一端部から真っ直ぐに延び、弾性変形自在な（バネ性を有する）板材で構成され、パッチンバンド・パッチンブレスのように、物体に振り当てることで物体に巻き付くようになっている。
【００３０】
すなわち、取付部１３は、外力を与えない状態では真っ直ぐに延び、真っ直ぐに延びた状態から、図４の矢印Ｄ方向に振って配電線Ｐに当てると、図５に示すように、配電線Ｐに巻き付く。また、標識部１２を引っ張ったりして取付部１３を反らせると、取付部１３が再び真っ直ぐに延びて、配電線Ｐから外れるものである。このような取付部１３は、単一材で構成してもよいし、複数材で構成してもよい。例えば、金属製の芯材を樹脂製やゴム製のカバーで覆う構成にしてもよい。
【００３１】
ここで、取付部１３の長さは、配電線Ｐに巻き付いた際に間接活線工法用目印体１０が外れにくく、かつ、標識部１２を引っ張ったりした際に間接活線工法用目印体１０が外れやすいように設定されている。また、標識部２と取付部３は、実施の形態１と同様に着色・彩色されている。
【００３２】
このように、この実施の形態によれば、間接活線工具１００で標識部１２を把持して、取付部１３を真っ直ぐに延びた状態から振って配電線Ｐに当てるだけで、取付部１３が配電線Ｐに巻き付いて間接活線工法用目印体１０が配電線Ｐに取り付けられる。また、標識部１２を引っ張るだけで、間接活線工法用目印体１０が配電線Ｐから取り外れる。このように、容易かつ迅速に間接活線工法用目印体１０を取り付けたり取り外したりすることができる。
【００３３】
しかも、接着剤３１を使用しないため、接着剤３１の塗り替えをすることなく、繰り返し使用することができる。さらに、通常時（非使用時）には、取付部１３を真っ直ぐに延ばすことで、保管や運搬、携帯が容易となる。
【００３４】
以上、この発明の実施の形態について説明したが、具体的な構成は、上記の実施の形態に限られるものではなく、この発明の要旨を逸脱しない範囲の設計の変更等があっても、この発明に含まれる。例えば、実施の形態１において、接着剤３１に代えて、図６に示すように、取付部３の他端縁（反標識部２側の端縁）から標識部２に対向して延びる対向部４を設けてもよい。この対向部４は、標識部２と同等の幅と厚みを有し、長さが標識部２よりも短い。そして、配電線Ｐに取付部３を掛けることで、標識部２と対向部４で配電線Ｐが挟まれ、間接活線工法用目印体１が落下しづらくなる。さらに、標識部２と対向部４の距離Ｈや取付部３の内径を配電線Ｐの外径よりもやや小さくして、標識部２と対向部４で配電線Ｐを挟持・把持するようにしてもよく、これにより、間接活線工法用目印体１の落下や位置づれをより防止・抑制することができる。
【００３５】
また、実施の形態１、２では、標識部２、１２と取付部３、１３が異なる色に着色されているが、同一色に着色してもよく、また、標識部２、１２のみを配電線Ｐと異なる色に着色してもよい。また、夜間などでも視認しやすいように、蛍光色で着色してもよい。
【符号の説明】
【００３６】
１        間接活線工法用目印体
２        標識部
３        取付部
４        対向部
３１      接着剤
１０      間接活線工法用目印体
１２      標識部
１３      取付部
１００    間接活線工具
Ｐ        配電線（電線）
Ｃ        スリーブカバー（対象物）
【図１】
2017103960.tif 000003
【図２】
2017103960.tif 000004
【図３】
2017103960.tif 000005
【図４】
2017103960.tif 000006
【図５】
2017103960.tif 000007
【図６】
2017103960.tif 000008